(57)【特許請求の範囲】
【請求項１】
背景画像データに基づいて背景用インクを吐出して、背景画像を媒体に形成し、
所定方向に並ぶ複数の画素からなる画素列が複数並んで構成されたカラー画像を示すカラー画像データに基づいてカラーインクを吐出して、前記画素列における複数の画素データに応じてドット列を前記媒体に形成することによって、複数のドット列から構成された前記カラー画像を前記媒体に形成する
印刷装置を制御する印刷制御装置であって、
前記画素列ごとに補正値を対応付けた第１補正値テーブルと、前記第１補正値テーブルとは異なる第２補正値テーブルとを備え、
補正対象となる前記画素データの位置での前記背景画像の有無を、前記画素データの位置に対応する位置における前記背景画像データの階調値に基づいて判断し、
前記位置に前記背景画像が無い場合には、前記第１補正値テーブルにおける前記画素データの対応する前記補正値を用いて、前記画素データの示す階調値を補正し、
前記位置に前記背景画像がある場合には、前記第２補正値テーブルにおける前記画素データの対応する前記補正値を用いて、前記画素データの示す階調値を補正し、
前記階調値の補正された前記画素データから構成された前記カラー画像データに基づいて、前記背景画像の形成された前記媒体に、前記カラー画像を前記印刷装置に形成させる
ことを特徴とする印刷制御装置。
【請求項２】
背景用インクを吐出して、背景画像を媒体に形成し、
所定方向に並ぶ複数の画素からなる画素列が複数並んで構成されたカラー画像を示すカラー画像データに基づいてカラーインクを吐出して、前記画素列における複数の画素データに応じてドット列を前記媒体に形成することによって、複数のドット列から構成された前記カラー画像を前記媒体に形成する
印刷装置を制御する印刷制御装置であって、
前記画素列ごとに補正値を対応付けた第１補正値テーブルと、前記第１補正値テーブルとは異なる第２補正値テーブルとを備え、
補正対象となる前記画素データの位置での前記背景画像の有無を判断し、
前記位置に前記背景画像が無い場合には、前記第１補正値テーブルにおける前記画素データの対応する前記補正値を用いて、前記画素データの示す階調値を補正し、
前記位置に前記背景画像がある場合には、前記第２補正値テーブルにおける前記画素データの対応する前記補正値を用いて、前記画素データの示す階調値を補正し、
前記階調値の補正された前記画素データから構成された前記カラー画像データに基づいて、前記背景画像の形成された前記媒体に、前記カラー画像を前記印刷装置に形成させるとともに、
前記第２補正値テーブルは、前記背景画像の所定階調値に対応しており、
前記位置での前記背景画像の階調値が、前記背景画像が無いことを示す階調値と、前記所定階調値との間である場合、
前記画素データの示す階調値を、前記第１補正値テーブルの前記補正値を用いて補正した前記階調値と、前記第２補正値テーブルの前記補正値を用いて補正した前記階調値と、を用いて補間した階調値に補正する
ことを特徴とする印刷制御装置。
【請求項３】
背景用インクを吐出して、背景画像を媒体に形成し、
所定方向に並ぶ複数の画素からなる画素列が複数並んで構成されたカラー画像を示すカラー画像データに基づいてカラーインクを吐出して、前記画素列における複数の画素データに応じてドット列を前記媒体に形成することによって、複数のドット列から構成された前記カラー画像を前記媒体に形成する
印刷装置を制御する印刷制御装置であって、
前記画素列ごとに補正値を対応付けた第１補正値テーブルと、前記第１補正値テーブルとは異なる第２補正値テーブルとを備え、
補正対象となる前記画素データの位置での前記背景画像の有無を判断し、
前記位置に前記背景画像が無い場合には、前記第１補正値テーブルにおける前記画素データの対応する前記補正値を用いて、前記画素データの示す階調値を補正し、
前記位置に前記背景画像がある場合には、前記第２補正値テーブルにおける前記画素データの対応する前記補正値を用いて、前記画素データの示す階調値を補正し、
前記階調値の補正された前記画素データから構成された前記カラー画像データに基づいて、前記背景画像の形成された前記媒体に、前記カラー画像を前記印刷装置に形成させるとともに、
前記印刷制御装置は、前記印刷装置が表現可能な階調よりも多階調の第１階調の前記カラー画像データを、前記印刷装置が表現可能な階調である第２階調の前記カラー画像データに変換し、
変換された前記カラー画像データを構成する画素データに対して、前記補正値を用いて前記階調値を補正する
ことを特徴とする印刷制御装置。
【請求項４】
請求項１〜３のいずれかに記載の印刷制御装置であって、
前記背景用インク及びカラーインクは、光を照射すると硬化する光硬化型インクである
ことを特徴とする印刷制御装置。
【請求項５】
請求項１〜４のいずれかに記載の印刷制御装置であって、
前記階調値の補正された前記画素データから構成された前記カラー画像データは、前記印刷装置が表現可能な階調よりも多階調の第１階調のカラー画像データであり、
前記印刷制御装置は、前記階調値の補正された前記画素データから構成された前記カラー画像データを、前記印刷装置が表現可能な階調である第２階調のカラー画像データに変換する
ことを特徴とする印刷制御装置。
【請求項６】
請求項１〜５のいずれかに記載の印刷制御装置であって、
前記背景画像は、ホワイトインク、メタリックインクのいずれかによって、若しくは前記ホワイトインクと前記カラーインクによって、形成される
ことを特徴とする印刷制御装置。
【請求項７】
背景画像データに基づいて背景用インクを吐出して、背景画像を媒体に形成し、
所定方向に並ぶ複数の画素からなる画素列が複数並んで構成されたカラー画像を示すカラー画像データに基づいてカラーインクを吐出して、前記画素列における複数の画素データに応じてドット列を前記媒体に形成することによって、複数のドット列から構成された前記カラー画像を前記媒体に形成する
ことを制御する印刷制御装置に実行させるプログラムであって、
前記画素列ごとに補正値を対応付けた第１補正値テーブルと、前記第１補正値テーブルとは異なる第２補正値テーブルとを備え、
補正対象となる前記画素データの位置での前記背景画像の有無を、前記画素データの位置に対応する位置における前記背景画像データの階調値に基づいて判断する機能と、
前記位置に前記背景画像が無い場合には、前記第１補正値テーブルにおける前記画素データの対応する前記補正値を用いて、前記画素データの示す階調値を補正する機能と、
前記位置に前記背景画像がある場合には、前記第２補正値テーブルにおける前記画素データの対応する前記補正値を用いて、前記画素データの示す階調値を補正する機能と、
前記階調値の補正された前記画素データから構成された前記カラー画像データに基づいて、前記背景画像の形成された前記媒体に、前記カラー画像を前記印刷装置に形成させる機能と
を前記印刷制御装置に実行させるプログラム。
【発明の詳細な説明】
【技術分野】
【０００１】
本発明は、印刷制御装置及びプログラムに関する。
【背景技術】
【０００２】
インクを吐出して媒体に印刷を行うインクジェット式の印刷装置が知られている。このような印刷装置の中に、ホワイトインクなどの背景用インクを備えたものがある。そして、背景用インクを媒体に塗布して背景画像を形成し、その背景画像の上にカラー画像を形成することが行われている。
【先行技術文献】
【特許文献】
【０００３】
【特許文献１】特開２００９−１１３２８４号公報
【発明の概要】
【発明が解決しようとする課題】
【０００４】
カラー画像の下の背景画像の階調に応じて、カラー画像の濃度ムラ（バンディングとも呼ばれる縞状の濃度ムラ）が異なって視認されるという現象が確認されている。例えば、同じカラー画像を印刷した場合であっても、その下に背景画像がある場合と無い場合とでは、カラー画像の濃度ムラが異なって視認されることになる。
【０００５】
本発明は、カラー画像の濃度ムラの補正方法を背景画像の有無に応じて調整することを目的とする。
【課題を解決するための手段】
【０００６】
上記目的を達成するための主たる発明は、背景用インクを吐出して、背景画像を媒体に形成し、所定方向に並ぶ複数の画素からなる画素列が複数並んで構成されたカラー画像を示すカラー画像データに基づいてカラーインクを吐出して、前記画素列における複数の画素データに応じてドット列を前記媒体に形成することによって、複数のドット列から構成された前記カラー画像を前記媒体に形成する印刷装置を制御する印刷制御装置であって、前記画素列ごとに補正値を対応付けた第１補正値テーブルと、前記第１補正値テーブルとは異なる第２補正値テーブルとを備え、補正対象となる前記画素データの位置での前記背景画像の有無を判断し、前記位置に前記背景画像が無い場合には、前記第１補正値テーブルにおける前記画素データの対応する前記補正値を用いて、前記画素データの示す階調値を補正し、前記位置に前記背景画像がある場合には、前記第２補正値テーブルにおける前記画素データの対応する前記補正値を用いて、前記画素データの示す階調値を補正し、前記階調値の補正された前記画素データから構成された前記カラー画像データに基づいて、前記背景画像の形成された前記媒体に、前記カラー画像を前記印刷装置に形成させることを特徴とする印刷制御装置である。
【０００７】
本発明の他の特徴については、本明細書及び添付図面の記載により明らかにする。
【図面の簡単な説明】
【０００８】
【図１】図１は、用語の説明図である。
【図２】図２は、印刷装置１の概略側面図である。
【図３】図３は、印刷装置１のブロック図である。
【図４】図４Ａは、表刷り印刷により形成される画像（表刷り印刷画像）の説明図である。図４Ｂは、裏刷り印刷により形成される画像（裏刷り印刷画像）の説明図である。
【図５】図５は、シアンヘッドユニット４１Ｃの下面における複数のヘッドの配列の説明図である。
【図６】図６は、シアンヘッドユニット４１Ｃのノズル配置とドット形成の様子の説明図である。
【図７】図７Ａは、第１参考例のプリンタドライバの処理の説明図である。図７Ｂは、第２参考例のプリンタドライバの処理の説明図である。図７Ｃは、第１実施形態のプリンタドライバの処理の説明図である。
【図８】図８は、第２参考例の濃度ムラ補正値の取得処理のフロー図である。
【図９】図９は、シアンの濃度ムラ補正値を取得するためのテストパターンのＣ画像データの説明図である。
【図１０】図１０は、読取画像データの説明図である。
【図１１】図１１は、各画素列の輝度の算出の様子の説明図である。
【図１２】図１２Ａ及び図１２Ｂは、階調値Ｃｂに対する第ｊ画素列の濃度ムラ補正値Ｃｂ_ｊの説明図である。
【図１３】図１３は、濃度ムラ補正値テーブルの説明図である。
【図１４】図１４は、画素データの階調値に対する濃度ムラ補正処理の説明図である。
【図１５】図１５Ａは、表刷り印刷の印刷画像の説明図である。図１５Ｂは、図１５Ａの印刷画像の説明図である。
【図１６】図１６は、第１実施形態の濃度ムラ補正値の取得処理のフロー図である。
【図１７】図１７は、第１実施形態の濃度ムラ補正処理のフロー図である。
【図１８】図１８は、第１実施形態の濃度ムラ補正処理の概要の説明図である。
【図１９】図１９は、第２実施形態の表刷り印刷の印刷画像の説明図である。
【図２０】図２０は、第２実施形態の濃度ムラ補正処理のフロー図である。
【図２１】図２１は、第３実施形態のプリンタドライバの処理のフロー図である。
【図２２】図２２は、第４実施形態のプリンタドライバの処理のフロー図である。
【図２３】図２３Ａは、ドット補正処理前のＣ画像データの説明図である。図２３Ｂは、ドット補正処理後のＣ画像データの説明図である。
【発明を実施するための形態】
【０００９】
本明細書及び添付図面の記載により、少なくとも、以下の事項が明らかとなる。
【００１０】
背景用インクを吐出して、背景画像を媒体に形成し、所定方向に並ぶ複数の画素からなる画素列が複数並んで構成されたカラー画像を示すカラー画像データに基づいてカラーインクを吐出して、前記画素列における複数の画素データに応じてドット列を前記媒体に形成することによって、複数のドット列から構成された前記カラー画像を前記媒体に形成する印刷装置を制御する印刷制御装置であって、前記画素列ごとに補正値を対応付けた第１補正値テーブルと、前記第１補正値テーブルとは異なる第２補正値テーブルとを備え、補正対象となる前記画素データの位置での前記背景画像の有無を判断し、前記位置に前記背景画像が無い場合には、前記第１補正値テーブルにおける前記画素データの対応する前記補正値を用いて、前記画素データの示す階調値を補正し、前記位置に前記背景画像がある場合には、前記第２補正値テーブルにおける前記画素データの対応する前記補正値を用いて、前記画素データの示す階調値を補正し、前記階調値の補正された前記画素データから構成された前記カラー画像データに基づいて、前記背景画像の形成された前記媒体に、前記カラー画像を前記印刷装置に形成させることを特徴とする印刷制御装置が明らかとなる。  
このような印刷制御装置によれば、背景画像の有無に応じてカラー画像の濃度ムラを調整して印刷装置に印刷させることができる。
【００１１】
前記第２補正値テーブルは、前記背景画像の所定階調値に対応しており、前記位置での前記背景画像の階調値が、前記背景画像が無いことを示す階調値と、前記所定階調値との間である場合、前記画素データの示す階調値を、前記第１補正値テーブルの前記補正値を用いて補正した前記階調値と、前記第２補正値テーブルの前記補正値を用いて補正した前記階調値と、を用いて補間した階調値に補正することが望ましい。これにより、背景画像の階調値に応じてカラー画像の濃度ムラを調整して印刷装置に印刷させることができる。
【００１２】
前記背景用インク及びカラーインクは、光を照射すると硬化する光硬化型インクであることが望ましい。光硬化型インクの場合、硬化するとインクを弾く性質があり、背景画像の有無によるドットの濡れ広がり方が大きく異なるため、背景画像の有無によるカラー画像の濃度ムラの変化が大きくなりやすいので、このような場合に特に有効である。
【００１３】
前記階調値の補正された前記画素データから構成された前記カラー画像データは、前記印刷装置が表現可能な階調よりも多階調の第１階調のカラー画像データであり、前記印刷制御装置は、前記階調値の補正された前記画素データから構成された前記カラー画像データを、前記印刷装置が表現可能な階調である第２階調のカラー画像データに変換することが望ましい。これにより、ハーフトーン処理前の画像データに濃度ムラを補正するための処理を行うことができる。
【００１４】
前記印刷制御装置は、前記印刷装置が表現可能な階調よりも多階調の第１階調の前記カラー画像データを、前記印刷装置が表現可能な階調である第２階調の前記カラー画像データに変換し、変換された前記カラー画像データを構成する画素データに対して、前記補正値を用いて前記階調値を補正することが望ましい。これにより、ハーフトーン処理後の画像データに濃度ムラを補正するための処理を行うことができる。
【００１５】
前記背景画像は、ホワイトインク、メタリックインクのいずれかによって、若しくは前記ホワイトインクと前記カラーインクによって、形成されることが望ましい。
【００１６】
背景用インクを吐出して、背景画像を媒体に形成し、所定方向に並ぶ複数の画素からなる画素列が複数並んで構成されたカラー画像を示すカラー画像データに基づいてカラーインクを吐出して、前記画素列における複数の画素データに応じてドット列を前記媒体に形成することによって、複数のドット列から構成された前記カラー画像を前記媒体に形成することを制御する印刷制御装置に実行させるプログラムであって、前記画素列ごとに補正値を対応付けた第１補正値テーブルと、前記第１補正値テーブルとは異なる第２補正値テーブルとを備え、補正対象となる前記画素データの位置での前記背景画像の有無を判断する機能と、前記位置に前記背景画像が無い場合には、前記第１補正値テーブルにおける前記画素データの対応する前記補正値を用いて、前記画素データの示す階調値を補正する機能と、前記位置に前記背景画像がある場合には、前記第２補正値テーブルにおける前記画素データの対応する前記補正値を用いて、前記画素データの示す階調値を補正する機能と、前記階調値の補正された前記画素データから構成された前記カラー画像データに基づいて、前記背景画像の形成された前記媒体に、前記カラー画像を前記印刷装置に形成させる機能とを前記印刷制御装置に実行させるプログラムが明らかとなる。  
このようなプログラムによれば、背景画像の有無に応じてカラー画像の濃度ムラを調整して印刷させることができる。
【００１７】
＝＝＝用語の説明＝＝＝
図１は、用語の説明図である。まず、本実施形態の説明に用いられる用語の意味について説明する。
【００１８】
「印刷画像」とは、媒体上に印刷された画像である。インクジェット方式の印刷装置による印刷画像は、媒体上に形成された無数のドットから構成されている。  
「ラスタライン」とは、ヘッドと媒体とが相対移動する移動方向に並ぶドットの列である。後述の実施形態のようなライン型の印刷装置の場合、ラスタラインは、媒体の搬送方向に並ぶドットの列を意味する。（なお、キャリッジに搭載されたヘッドによって印刷するシリアル型の印刷装置の場合、ラスタラインは、キャリッジの移動方向に並ぶドットの列を意味する。）移動方向と垂直な方向に多数のラスタラインが並ぶことによって、印刷画像が構成されることになる。図に示すように、ｎ番目の位置にあるラスタラインのことを「第ｎラスタライン」と呼ぶ。
【００１９】
「画像データ」とは、２次元画像を示すデータである。後述する実施形態では、ＲＧＢ色空間の画像データや、ＣＭＹＫ色空間の画像データなどがある。ＲＧＢ色空間における画像データのことを「ＲＧＢ画像データ」と呼び、ＲＧＢ色空間のそれぞれの色の画像データのことを「Ｒ画像データ」、「Ｇ画像データ」及び「Ｂ画像データ」とそれぞれ呼ぶことがある。また、ＣＭＹＫ色空間の画像データのことを「ＣＭＹＫ画像データ」と呼び、ＣＭＹＫ色空間のそれぞれの色の画像データのことを、「Ｃ画像データ」、「Ｍ画像データ」、「Ｙ画像データ」及び「Ｋ画像データ」とそれぞれ呼ぶことがある。また、画像データには、２５６階調の画像データや、４階調の画像データなどがある。印刷装置が４階調でドット（大ドット・中ドット・小ドット・ドット無し）を形成する場合、４階調のＣＭＹＫ画像データは印刷画像を構成するドットの形成状態を示すことになるため、４階調のＣＭＹＫ画像データのことを特に「印刷画像データ」と呼ぶことがある。また、スキャナによって読み取られた画像データのことを「読取画像データ」と呼ぶことがある。
【００２０】
後述する実施形態では、画像データの中に、背景画像を示す背景画像データも含まれている。白色の背景画像データのことを「Ｗ画像データ」と呼ぶことがある。印刷装置は、Ｗ画像データに従ってホワイトインクを吐出して、白色の背景画像を印刷することになる。
【００２１】
「画素」とは、画像を構成する最小単位である。この画素が２次元的に配置されることによって画像が構成される。主に、画像データ上の画素を意味する。  
「画素列」とは、画像データ上において所定方向に並ぶ画素の列である。図に示すように、ｎ番目の画素列のことを「第ｎ画素列」と呼ぶ。画像データの示す画像は、画素列が複数並んで構成されていることになる。
【００２２】
「画素データ」とは、画素の階調値を示すデータである。画像データは多数の画素データから構成されていることになる。画素データのことを「画素の階調値」と言うこともある。後述する実施形態では、印刷画像データの各画素データは、ある画素のドット形成状態（大ドット・中ドット・小ドット・ドット無し）を示すことになる。  
「画素列データ」とは、画素列に含まれる複数の画素の画素データである。なお、印刷画像のラスタラインは、印刷画像データの画素列データに従って多数のドットが媒体上に形成されることによって、形成されることになる。画素列データのことを、「画素列の階調値」と言うこともある。
【００２３】
「画素領域」とは、画像データ上の画素に対応した媒体上の領域である。例えば、印刷画像データの解像度が３６０×３６０ｄｐｉの場合、「画素領域」は、１辺が１／３６０インチの正方形状の領域になる。
【００２４】
「列領域」とは、画素列に対応した媒体上の領域である。例えば、印刷画像データの解像度が３６０×３６０ｄｐｉの場合、列領域は、１／３６０インチ幅の細長い領域になる。「列領域」は、印刷画像データ上の画素列に対応した媒体上の領域を意味する場合もあるし、読取画像データ上の画素列に対応した媒体上の領域を意味する場合もある。図中の右下には、前者の場合の列領域が示されている。前者の場合の「列領域」は、ラスタラインの形成目標位置でもある。後者の場合の「列領域」は、読取画像データ上の画素列が読み取られた媒体上の測定位置（測定範囲）でもあり、言い換えると、画素列の示す画像（画像片）が存在する媒体上の位置でもある。図に示すように、ｎ番目の位置にある列領域のことを「第ｎ列領域」と呼ぶ。第ｎ列領域は第ｎラスタラインの形成目標位置になる。
【００２５】
「画像片」とは、画像の一部分を意味する。画像データ上において、ある画素列の示す画像は、画像データの示す画像の「画像片」になる。また、印刷画像において、あるラスタラインによって表される画像は、印刷画像の「画像片」になる。また、印刷画像において、ある列領域での発色によって表される画像も、印刷画像の「画像片」に該当する。
【００２６】
ところで、図１の右下には、画素領域とドットとの位置関係が示されている。ヘッドの製造誤差の影響によって第２ラスタラインが第２列領域からズレた結果、第２列領域の濃度が淡くなる。また、第４列領域では、ヘッドの製造誤差の影響によってドットが小さくなった結果、第４列領域の濃度が淡くなる。このような濃度ムラや濃度ムラ補正方法を説明する必要があるため、本実施形態では、「ラスタライン」、「画素列」、「列領域」等の意味や関係を上記の内容に沿って説明している。
【００２７】
但し、「画像データ」や「画素」等の一般的な用語の意味は、上記の説明だけでなく、通常の技術常識に沿っても適宜解釈される。
【００２８】
＝＝＝全体構成＝＝＝
図２は、印刷装置１の概略側面図である。図３は、印刷装置１のブロック図である。
【００２９】
印刷装置１は、搬送ユニット１０、ヘッドユニット４０、検出器群５０、コントローラー６０、駆動信号生成回路７０、仮硬化ユニット８０、本硬化ユニット９０を備えている。
【００３０】
搬送ユニット１０は、媒体を搬送する機能を有する。以下の説明では、媒体の搬送される方向を搬送方向と呼ぶ。搬送ユニット１０は、ドラム１１、第１ローラー１２、第２ローラー１２、第３ローラー１３を有する。媒体は、搬送ユニット１０の上流側の供給ユニット（不図示）から供給され、搬送ユニット１０の下流側の巻き取りローラー（不図示）によって巻き取られる。媒体は第１ローラー１２から第３ローラー１４までの間において所定の張力にて張られており、ドラム１１の表面に密着している。そして、ドラム１１が回転することによって、媒体が搬送されることになる。媒体は、紙であることもあるが、透明媒体Ｓ（例えば透明フィルム）であることもある。
【００３１】
ヘッドユニット４０は、搬送方向上流側から順に、第１ホワイトヘッドユニット４１Ｗ、マゼンタヘッドユニット４１Ｍ、シアンヘッドユニット４１Ｃ、イエローヘッドユニット４１Ｙ、ブラックヘッドユニット４１Ｋ、及び第２ホワイトヘッドユニット４２Ｗを有する。各色のヘッドユニットには、多数のノズルが所定のノズルピッチ（例えば１／３６０インチ）で媒体の幅方向にわたって並んでいる。各色のヘッドユニットが各色のインクを吐出することによって、媒体に画像が印刷される。各色のヘッドユニットは、ドラム１１の表面に沿って設けられている。また、各色のヘッドユニットは、ＵＶインクを吐出する。ＵＶインクは、紫外光が照射されると硬化する性質を有するインクである。
【００３２】
マゼンタヘッドユニット４１Ｍの吐出するマゼンタインクと、シアンヘッドユニット４１Ｃの吐出するシアンインクと、イエローヘッドユニット４１Ｙの吐出するイエローインクとによって、減色法によるカラー画像が印刷される。カラー画像の印刷には、ブラックヘッドユニット４１Ｋから吐出されるブラックインクも用いられる。以下の説明では、マゼンタインク、シアンインク、イエローインク及びブラックインクのことをカラーインクと呼ぶことがある。
【００３３】
第１ホワイトヘッドユニット４１Ｗ及び第２ホワイトヘッドユニット４２Ｗは、白色のホワイトインクを吐出する。ホワイトインクは、カラー画像の背景となる背景画像を形成に用いられる背景色インクである。例えば、透明媒体にカラー画像を単独で形成するとカラー画像の視認性が良くないため、カラー画像と共に背景画像を形成することによって、カラー画像の遮光性（遮蔽性）を向上させて、カラー画像の視認性を高めている。但し、ホワイトインクは、紙などの不透明な媒体に吐出しても良い。
【００３４】
第１ホワイトヘッドユニット４１Ｗは、背景画像をカラー画像より先に（カラー画像の下に）形成する表刷り印刷で用いられる。第２ホワイトヘッドユニット４２Ｗは、背景画像をカラー画像の後に（カラー画像の上に）形成する裏刷り印刷で用いられる。透明な媒体に裏刷り印刷にてカラー画像を形成した場合には、透明な媒体の側から（透明な媒体越しに）カラー画像を見ることになる。
【００３５】
検出器群５０は、印刷装置１の各部の情報を検出する各種の検出器をあらわす。例えば、検出器群５０の中には、ドラムの回転角度を検出するエンコーダー（不図示）などが含まれている。検出器群５０は、コントローラー６０に検出信号を送信する。
【００３６】
コントローラー６０は、印刷装置１の制御を行うための制御ユニットである。コントローラー６０は、ＣＰＵ６１、メモリ６２及びインターフェース部６３を有する。ＣＰＵ６１は、印刷装置１の全体の制御を行うための演算処理装置である。メモリ６２は、ＣＰＵ６１の作業領域や、プログラムを格納する領域などを確保するための記憶部である。ＣＰＵ６１は、メモリ６２に格納されているプログラムに従って、各ユニットを制御することになる。インターフェース部６３は、外部装置であるコンピューター１１０と印刷装置１との間でデータの送受信を行う。
【００３７】
駆動信号生成回路７０は、ヘッドユニット４０に含まれているピエゾ素子などの駆動素子を駆動するための駆動信号を生成する回路である。駆動信号が駆動素子に印加されることによって、駆動素子が駆動して、インク滴がノズルから吐出されることになる。
【００３８】
仮硬化ユニット８０は、媒体に着弾したＵＶインク同士が滲まないようにＵＶインクの表面を硬化（仮硬化）させる程度の強度の紫外光を照射する。仮硬化ユニット８０は、搬送方向上流側から順に、第１ホワイト用光源８１Ｗ、マゼンタ用光源８１Ｍ、シアン用光源８１Ｃ、イエロー用光源８１Ｙ、ブラック用光源８１Ｋ及び第２ホワイト用光源８２Ｗを有する。仮硬化用の各色の光源は、ドラム１１の表面に沿って設けられている。また、各色の光源は、対応する色のヘッドユニットの下流側に設けられている。これにより、ＵＶインクが媒体に着弾してドットが形成された直後に、仮硬化用の光源から紫外光が照射されて、ＵＶインクのドット表面が仮硬化する。仮硬化ユニット８０の各色の光源として、ＬＥＤ（発光ダイオード）などが採用される。
【００３９】
本硬化ユニット９０は、媒体上のＵＶインクを本硬化（完全に固化）させることが可能な強度の紫外光を照射する。本硬化ユニット９０は、仮硬化用の光源よりも強い紫外光を照射するための本硬化用光源９１を有する。本硬化用光源９１は、ドラム１１の下部に設けられている。また、本硬化用光源９１は、媒体Ｓがドラム１１から離れてから第３ローラー１３に達するまでの間において、媒体に紫外光を照射する。例えば、本硬化用光源９１として、メタルハライドランプなどが採用される。なお、本硬化ユニット９０は、本硬化用光源９１の紫外光を媒体側に反射させる反射鏡や、排熱のためのフィン、ファン及びダクトなども備えている。
【００４０】
コンピューター１１０には、スキャナー１２０が接続されている。スキャナー１２０は、印刷装置１を用いて印刷された画像（テストパターンなど）を読み取る装置である。コンピューター１１０には、スキャナー１２０を制御し、スキャナーから読取画像データを取得するためのスキャナドライバもインストールされている。
【００４１】
図４Ａは、表刷り印刷により形成される画像（表刷り印刷画像）の説明図である。「表刷り印刷」とは、媒体の印刷面の側（おもて側）から印刷画像を見るための印刷である。このため、「表刷り印刷」で背景画像及びカラー画像を形成する場合には、背景画像を媒体に形成した後に、その背景画像の上にカラー画像を形成することになる。
【００４２】
表刷り印刷を行う場合、印刷装置１は、第１ホワイトヘッドユニット４１Ｗを用いて、媒体に背景画像（白画像）を形成する。すなわち、印刷装置１は、媒体を搬送させながら、第１ホワイトヘッドユニット４１Ｗからホワイトインクを吐出して、ホワイトドットを媒体に形成し、そのホワイトドットに第１ホワイト用光源８１Ｗから紫外光を照射してホワイトドットを仮硬化させて、背景画像を形成する。その後、第１ホワイトヘッドユニット４１Ｗよりも搬送方向下流側のヘッドユニットを用いて、仮硬化後の背景画像の上にカラー画像が形成される。本硬化用光源９１は、カラー画像と、そのカラー画像の下の背景画像に紫外光を照射して、カラー画像と背景画像を本硬化させることになる。
【００４３】
図４Ｂは、裏刷り印刷により形成される画像（裏刷り印刷画像）の説明図である。「裏刷り印刷」とは、透明な媒体越しに（媒体の印刷面の裏側から）印刷画像を見るための印刷である。このため、「裏刷り印刷」で背景画像及びカラー画像を形成する場合には、カラー画像を媒体に形成した後に、そのカラー画像の上に背景画像を形成する。
【００４４】
裏刷り印刷を行う場合、印刷装置１は、第２ホワイトヘッドユニット４２Ｗを用いて、媒体に背景画像（白画像）を形成する。すなわち、印刷装置１は、媒体を搬送させながら、第２ホワイトヘッドユニット４２Ｗよりも搬送方向上流側のヘッドユニットを用いてカラー画像を形成し、仮硬化後のカラー画像の上に第２ホワイトヘッドユニット４２Ｗからホワイトインクを吐出して、カラー画像の上にホワイトドットを形成し、そのホワイトドットに第２ホワイト用光源８２Ｗから紫外光を照射してホワイトドットを仮硬化させて、背景画像を形成する。本硬化用光源９１は、カラー画像と、そのカラー画像の上の背景画像に紫外光を照射して、カラー画像と背景画像を本硬化させることになる。
【００４５】
なお、図４Ａ及び図４Ｂでは、背景画像とカラー画像の層が明確に分離して描かれているが、実際には、各層が明確に分離しているとは限らない。例えば、図４Ａの表刷り印刷画像の背景画像を構成するホワイトドットの間に隙間があれば、カラー画像を構成するカラードットの一部が透明媒体Ｓの上に形成されることもある。
【００４６】
また、図４Ａ及び図４Ｂの説明図は、印刷工程の順序も示している。例えば、図４Ａの場合、透明媒体Ｓの上に、まず背景画像を形成するためのホワイトインクが塗布され、その後にカラー画像を形成するためのカラーインクが塗布されることが示されていることになる。
【００４７】
＜ヘッドユニットの構成＞
図５は、シアンヘッドユニット４１Ｃの下面における複数のヘッドの配列の説明図である。図に示すように、シアンヘッドユニット４１Ｃは、複数のヘッド４５を有している。複数のヘッドは、幅方向に沿って千鳥列状に並んでいる。各ヘッドには、ノズル列が形成されている。ノズル列は、シアンインクを吐出する複数のノズル（例えば３６０個のノズル）から構成されている。ノズル列を構成する複数のノズルは、一定のノズルピッチ（例えば１／３６０インチ）で幅方向に並んでいる。
【００４８】
図６は、シアンヘッドユニット４１Ｃのノズル配置とドット形成の様子の説明図である。説明の簡略化のため、ここではヘッドユニットが２個のヘッド（第１ヘッド４５Ａ及び第２ヘッド４５Ｂ）から構成されているものとする。更に説明の簡略化のため、各ヘッドのノズル列は１２個のノズルから構成されているものとする。以下の説明では、搬送方向のことを「ｘ方向」と呼び、幅方向のことを「ｙ方向」と呼ぶことがある。
【００４９】
各ヘッド４５のノズル列は、幅方向に千鳥列状に並ぶ１２個のノズルから構成されている。但し、ノズル列を構成する複数のノズルは、一直線上に並んでいても良い。１２個のノズルは、それぞれ幅方向に１／３６０インチずれて構成されている。各ノズルには、図中の上から順に番号が付されている。
【００５０】
搬送中の媒体に対して各ノズルから断続的にインクが吐出されることによって、媒体に２４個のラスタラインが形成される。例えば、第１ヘッド４２Ａのノズル♯１Ａは第１ラスタラインを媒体上に形成し、第２ヘッド４２Ｂのノズル♯１Ｂは第１３ラスタラインを媒体上に形成する。各ラスタラインは、搬送方向（ｘ方向）に沿って形成される。媒体が１／３６０インチ搬送される毎にノズルからインクを吐出すると、媒体に３６０ｄｐｉ×３６０ｄｐｉの解像度でドットが形成される。
【００５１】
ここではシアンヘッドユニット４１Ｃについて説明したが、他のヘッドユニットも同様である。
【００５２】
＝＝＝第１参考例：プリンタドライバの通常処理＝＝＝
コンピューター１１０（図２参照）にはプリンタドライバがインストールされている。プリンタドライバがインストールされたコンピューター１１０は、印刷装置１を制御するための印刷制御装置になる。プリンタドライバは、アプリケーションプログラムからの画像データ（入力画像データ）を受け取り、印刷装置１が解釈できる形式の印刷データに変換し、印刷データを印刷装置に出力する。入力画像データを印刷データに変換する際に、プリンタドライバは、色変換処理・ハーフトーン処理などを行う。
【００５３】
図７Ａは、第１参考例のプリンタドライバの処理の説明図である。この第１参考例は、濃度ムラを補正しない処理である。
【００５４】
色変換処理前の画像データは、２５６階調のＲＧＢ色空間の画像データ（ＲＧＢ画像データ）である。プリンタドライバは、必要に応じて、入力画像データの解像度が印刷解像度に適合するように、色変換処理の前に解像度変換処理を施す。例えば、アプリケーションプログラムからベクター形式の画像データを受け取った場合には、プリンタドライバは、そのベクター形式の画像データを、２５６階調のビットマップ形式のＲＧＢ画像データに変換する。
【００５５】
次に、プリンタドライバは、ＲＧＢ画像データを、インク色と同じ色空間であるＣＭＹＫ色空間の画像データ（ＣＭＹＫ画像データ）に変換する色変換処理を行う。この色変換処理は、ＲＧＢの階調値とＣＭＹＫの階調値とを対応づけたテーブル（色変換ルックアップテーブルＬＵＴ）をプリンタドライバが参照することによって、行われる。色変換処理後の画像データは、２５６階調のＣＭＹＫ画像データである。
【００５６】
色変換処理後、プリンタドライバは、２５６階調の画像データを、印刷装置が形成可能な階調である４階調の画像データに変換するハーフトーン処理を行う。ハーフトーン処理では、ディザ法・γ補正・誤差拡散法などが利用される。ハーフトーン処理後の画像データは、印刷画像を構成するドットの形成状況（ドットの有無、ドットの大きさ）を示す印刷画像データになる。
【００５７】
ハーフトーン処理後、プリンタドライバは、印刷画像データを印刷装置１に送信する。プリンタドライバは、印刷画像データを印刷装置１に送信する際に、必要に応じて、印刷画像データの画素データの並ぶ順序を変換するラスタライズ処理や、印刷装置１の制御に必要なコマンドデータを印刷画像データに付加するコマンド付加処理などを行う。
【００５８】
なお、印刷画像データを受信した印刷装置は、印刷画像データの各画素データの示す階調値に従って各ノズルからインクを吐出し、媒体上の画素領域にドットを形成する。これにより、印刷装置１は、印刷画像データの示す画像を媒体に印刷できる。
【００５９】
＝＝＝第２参考例：濃度ムラ補正処理＝＝＝
第１参考例の通常処理によって印刷した場合、印刷画像に濃度ムラ（バンディングと呼ばれる縞状の濃度ムラ）が生じることがある。この濃度ムラは、印刷画像を構成する多数のドット列がヘッドの製造誤差の影響で理想通りに形成されず、ドットの大小によってドット列ごとに濃淡ができたり、ドット列がズレて形成されたりすることが原因と考えられている。
【００６０】
印刷画像はインク色と同じ色空間の画像を重ね合わせて構成されているので、インク色と同じ色空間の各色の濃度ムラをそれぞれ抑制すれば、印刷画像の濃度ムラも抑制できると考えられる。第２参考例では、インク色ごとに濃度ムラをそれぞれ検出し、その検出結果から各インク色の濃度ムラ補正値を取得している。そして、印刷装置１を購入したユーザが印刷を行うときに、プリンタドライバがＣＭＹＫ画像データの各色の画像データ（例えばＣ画像データ）に対して濃度ムラ補正値を用いて濃度ムラ補正処理を行い、濃度ムラの抑制された印刷画像が得られるようにしている。
【００６１】
＜濃度ムラ補正値の取得方法＞
図８は、第２参考例の濃度ムラ補正値の取得処理のフロー図である。ここでは、シアンの濃度ムラ補正値の取得方法について説明する。但し、他の色の濃度ムラ補正値の取得方法も同様である。
【００６２】
プリンタドライバには、予め濃度ムラ補正値を取得するためのテストパターンの画像データが用意されている。このテストパターンの画像データは、印刷解像度に合わせた解像度（３６０ｄｐｉ×３６０ｄｐｉ）の２５６階調のＣ画像データである。なお、テストパターンの画像は、複数の画素列（ここでは２４個の画素列）が並んで構成されている。
【００６３】
図９は、シアンの濃度ムラ補正値を取得するためのテストパターンのＣ画像データの説明図である。テストパターンは、５個の補正用パターンから構成されている。５個の補正用パターンは、ｘ１方向に沿って並んでいる。画像データ上のｘ１方向は、その画像データの示す画像が印刷装置１で印刷されたときに搬送方向（ｘ方向）になる方向である。５個の補正用パターンのシアンの階調値は、それぞれ異なっている。第１補正用パターンを構成する画素の階調値Ｃａは１７９、第２補正用パターンを構成する画素の階調値Ｃｂは１５３、第３補正用パターンを構成する画素の階調値Ｃｃは１２８、第４補正用パターンを構成する画素の階調値Ｃｄは１０２、第５補正用パターンを構成する画素の階調値Ｃｅは７６に設定されている。
【００６４】
各補正用パターンは、数１０画素（ｘ１方向）×２４画素（ｙ１方向）から構成されている。ｙ１方向の画素数は、印刷装置１が幅方向に形成するラスタラインの数に相当する。ここでは、ｙ１方向の画素数は、ヘッドユニット４１のノズル数と同じ２４個になっている（図６参照）。
【００６５】
プリンタドライバは、図９に示す画像データに対してハーフトーン処理を行う（図８のＳ１０１）。これにより、２５６階調のＣ画像データは、４階調のＣ画像データ（シアンの印刷画像データ）に変換される。４階調のＣ画像データの２４個の画素列データは、２４個のラスタラインのドット形成状態を示すことになる。
【００６６】
次に、プリンタドライバは、４階調のＣ画像データ（印刷画像データ）を印刷装置１に送信し、シアンのテストパターンの画像をテストシートに印刷させる（図８のＳ１０２）。ここでは、３６０ｄｐｉ×３６０ｄｐｉの印刷解像度でテストパターンを印刷する。これにより、２４個のラスタラインから構成された５個の補正用パターンからなるテストパターンが印刷される。
【００６７】
テストシートに印刷されたシアンのテストパターンは、図９のＣ画像データの示す画像とほぼ同じである。但し、ヘッドの製造誤差の影響のため、全ドットが理想通りの大きさ・位置に形成されず、ドット列ごとに濃淡ができたり、ドット列がずれて形成されたりする。このため、Ｃ画像データ上の各画素の階調値は一様であるにも関わらず、印刷画像上には濃度ムラが含まれている。
【００６８】
次に、検査者は、テストシートをスキャナー１２０にセットし、コンピューター１１０のスキャナドライバを用いてスキャナー１２０にテストパターンを読み取らせる（図８のＳ１０３）。ここでは、１４４０ｄｐｉ×１４４０ｄｐｉの読取解像度でスキャナー１２０がテストパターンを読み取る。つまり、印刷解像度である３６０ｄｐｉ×３６０ｄｐｉよりも高い読取解像度で、スキャナー１２０がテストパターンを読み取る。  
なお、プリンタドライバは、スキャナー１２０から取得した画像データ（読取画像データ）に対して、必要に応じて読取画像データに対して回転処理やトリミング処理などを施しても良い。
【００６９】
図１０は、読取画像データの説明図である。読取画像データ上のテストパターンも、５個の補正用パターンから構成されている。読取画像データ上では、５個の補正用パターンの並ぶ方向をｘ２方向と呼び、ｘ２方向と直交する方向をｙ２方向と呼ぶ。読取画像データ上のｘ２方向は、ラスタラインの画像と平行になっている。言い換えると、読取画像データのｘ２方向がラスタラインの画像と平行になるように、プリンタドライバは必要に応じて読取画像データに対して回転処理を行う。
【００７０】
ここでは、３６０ｄｐｉで並ぶ２４個のラスタラインから構成されたテストパターンを１４４０ｄｐｉ（印刷解像度の４倍の解像度）で読み取っている。読取画像データのｙ２方向の画素数は理想的には９６個（＝２４個×４）になるはずであるが、ヘッドの製造誤差やスキャナー１５０の読取誤差などの影響により、読取画像データのｙ２方向の画素数は正確に９６個になるとは限らない。
【００７１】
次に、プリンタドライバは、スキャナー１２０から取得した画像データ（読取画像データ）に対して、ｙ２方向の画素数が２４個になるように、解像度変換を行う（図８のＳ１０４）。解像度変換後の画像データのｙ２方向の画素数は、印刷装置１が幅方向に形成するラスタラインの数に相当する。ここでは、ｙ２方向の画素数は、ヘッドユニット４１のノズル数と同じ２４個になっている（図６参照）。  
なお、解像度変換後の読取画像データ上の各画素列データ（ｘ２方向に並ぶ画素の列）は、テストパターンが印刷された媒体上の１／３６０インチ幅の列領域の画像片を示している。言い換えると、解像度変換後の読取画像データ上の各画素列は、印刷解像度に相当する幅（１／３６０インチの幅）の列領域の画像片を示している。
【００７２】
次に、プリンタドライバは、読取画像データ上の補正用パターン毎に、各画素列の輝度を算出する（図８のＳ１０５）。各画素列の輝度は、印刷されたテストパターン上の各列領域の濃度を示していると考えられる。
【００７３】
図１１は、各画素列の輝度の算出の様子の説明図である。図中の左側には、読取画像データ上の或る補正用パターンを構成する画素が示されている。補正値取得プログラムは、各画素列ごとに、ｘ２方向に並ぶ複数の画素の画素データに基づいて平均輝度を算出し、この平均輝度をその画素列の輝度とする。例えば、第１画素列の輝度は、図中の左側の太線内の画素データに基づいて算出される。図中の右側には、各画素列の輝度のグラフが示されている。印刷画像に濃度ムラがあるため、読取画像データ上の各画素列の輝度にばらつきが生じている。
【００７４】
以下の説明では、階調値Ｃａ（＝１７９）の第１補正用パターンの読取画像データ上の第ｊ画素列の輝度を「Ｙａ_ｊ」と表す。同様に、階調値Ｃｂ（＝１５３）の第２補正用パターンの読取画像データ上の第ｊ画素列の輝度を「Ｙｂ_ｊ」と表し、階調値Ｃｃ（＝１２８）の第３補正用パターンの読取画像データ上の第ｊ画素列の輝度を「Ｙｃ_ｊ」と表し、階調値Ｃｄ（＝１０２）の第４補正用パターンの読取画像データ上の第ｊ画素列の輝度を「Ｙｄ_ｊ」と表し、階調値Ｃｅ（＝７６）の第５補正用パターンの読取画像データ上の第ｊ画素列の輝度を「Ｙｅ_ｊ」と表す。
【００７５】
次に、プリンタドライバは、各画素列の輝度と目標輝度との差に基づいて、各画素列の濃度ムラ補正値ΔＣを算出する（図８のＳ１０６）。ここでは、第ｊ画素列の濃度ムラ補正値について説明する。
【００７６】
図１２Ａ及び図１２Ｂは、階調値Ｃｂに対する第ｊ画素列の濃度ムラ補正値Ｃｂ_ｊの説明図である。図中の横軸は画素データの階調値を示し、縦軸は輝度値を示している。図中には、階調値Ｃｂに対する目標輝度Ｙｂｔが示されている。この目標輝度Ｙｂｔは、第２補正用パターンの読取画像データ上の全画素列の輝度の平均値である。つまり、目標輝度Ｙｂｔは、Ｙｂ_１〜Ｙｂ_２４の合計を２４で割った値である。
【００７７】
図１２Ａに示すように、第ｊ画素列の輝度Ｙｂ_ｊが目標輝度Ｙｂｔよりも小さい場合、プリンタドライバは、直線ＡＢに基づく直線補間を利用して、目標輝度Ｙｂｔに対応する階調値Ｃｂｔを算出する。そして、階調値Ｃｂｔと階調値Ｃｂとの差を濃度ムラ補正値ΔＣｂ_ｊとして算出する。
【００７８】
図１２Ｂに示すように、第ｊ画素列の輝度Ｙｂ_ｊが目標輝度Ｙｂｔよりも大きい場合、プリンタドライバは、直線ＢＣに基づく直線補間を利用して、目標輝度Ｙｂｔに対応する階調値Ｃｂｔを算出する。そして、階調値Ｃｂｔと階調値Ｃｂとの差を濃度ムラ補正値ΔＣｂ_ｊとして算出する。
【００７９】
このようにして、プリンタドライバは、５種類の階調値（Ｃａ〜Ｃｅ）ごとに、それぞれの画素列ごとの濃度ムラ補正値を算出する。なお、一番淡い階調値Ｃａ（＝１７９）の濃度ムラ補正値ΔＣａ_ｊを算出する場合、プリンタドライバは、２点（２５５，２５５）、（Ｃａ，Ｙａ_ｊ）の直線に基づいて直線補間を行うと良い。また、一番濃い階調値Ｃｅ（＝７６）の濃度ムラ補正値ΔＣｅ_ｊを算出する場合、プリンタドライバは、２点（０，０）、（Ｃｅ，Ｙｅ_ｊ）の直線に基づいて直線補間を行うと良い。
【００８０】
図１３は、濃度ムラ補正値テーブルの説明図である。算出された各濃度ムラ補正値ΔＣは、階調値及び画素列に対応付けられて、濃度ムラ補正値テーブルに格納される。プリンタドライバは、濃度ムラ補正値テーブルをコンピューター１１０の記憶手段に記憶する。なお、プリンタドライバは、印刷装置１に濃度ムラ補正値テーブルを送信し、印刷装置１のメモリ６２に濃度ムラ補正値テーブルを記憶させても良い（図８のＳ１０７）。
【００８１】
なお、上記の説明ではシアンについてのみ説明をしたが、他の色（マゼンタ、イエロー、ブラック）に対しても同様に濃度ムラ補正値テーブルが記憶される。
【００８２】
＜濃度ムラ補正処理＞
図７Ｂは、第２参考例のプリンタドライバの処理の説明図である。プリンタドライバは、色変換処理後・ハーフトーン処理前の２５６階調のＣＭＹＫ画像データに対して、濃度ムラ補正処理を行う。ここでは、シアンの２５６階調の画像データ（Ｃ画像データ）に対する濃度ムラ補正処理について説明する。
【００８３】
図１４は、画素データの階調値に対する濃度ムラ補正処理の説明図である。図中の横軸は、補正前の階調値を示し、図中の縦軸は補正後の階調値を示している。
【００８４】
仮に補正前の画像データの画素データが全て階調値Ｃｂ（＝１５３）であれば、プリンタドライバは、階調値Ｃｂに対応する補正値ΔＣｂ_ｊを用いて、画素データの階調値ＣｂをＣｂ＋ΔＣｂ_ｊに補正する。同様に、補正前の画像データの画素データが全て階調値Ｃｃ（＝１２８）であれば、プリンタドライバは、階調値Ｃｃに対応する補正値ΔＣｃ_ｊを用いて、画素データの階調値ＣｃをＣｃ＋ΔＣｃ_ｊに補正する。
【００８５】
一方、補正前の画素データの階調値Ｃ_ｉｎが補正用パターンのいずれの階調値（Ｃａ〜Ｃｅ）とも異なる場合、例えば図に示すように補正前の階調値Ｃ_ｉｎがＣｂとＣｃの間である場合、プリンタドライバは、補正値ΔＣｂ_ｊ及び補正値ΔＣｃ_ｊを用いて直線補間を行い、階調値Ｃ_ｏｕｔを算出する。
【００８６】
図中のグラフによれば、補正値ΔＣａ_ｊは、プラスの値になっている。このため、補正前の階調値Ｃ_ｉｎが階調値Ｃａに近い値であれば、プリンタドライバは、階調値を高くするように画素データの階調値を補正する。また、図中のグラフによれば、補正値ΔＣｅ_ｊは、マイナスの値になっている。このため、補正前の階調値Ｃ_ｉｎが階調値Ｃｅに近い値であれば、プリンタドライバは、階調値を低くするように画素データの階調値を補正する。これにより、プリンタドライバは、濃く印刷される部分の画素を淡く補正し、淡く印刷される部分の画素を濃く補正するように、画像データを補正することができる。
【００８７】
ここでは、第ｊ画素列に属する画素データの階調値の補正について説明したが、他の画素列に属する画素データに対しても、同様に階調値が補正される。但し、他の画素列に属する画素データに対しては、その画素列に対応する補正値が用いられる。
【００８８】
濃度ムラ補正処理後の印刷画像データは、２５６階調のＣＭＹＫ画像データである。濃度ムラ補正処理の後、プリンタドライバは、ハーフトーン処理を行い、印刷画像データを印刷装置１に送信する（図７Ｂ参照）。ハーフトーン処理や印刷画像データの送信処理は、第１参考例と同様である。
【００８９】
第２参考例では、濃度ムラ補正処理された画像データに対してハーフトーン処理が行われることになる。この結果、例えば淡く視認されやすい列領域に対応する画素列に属する画素データの階調値は予め低く（濃く）補正されているため、ハーフトーン処理後の画像データ上のその画素列のドット生成率は高くなる。また、例えば濃く視認されやすい列領域に対応する画素列に属する画素データの階調値は予め高く（淡く）補正されているため、ハーフトーン処理後の画像データ上のその画素列のドット生成率は低くなる。したがって、淡く視認されやすい列領域には、ドット生成率が高くなるように補正されたラスタラインが形成され、濃く視認されやすい列領域には、ドット生成率が低くなるように補正されたラスタラインが形成されることによって、印刷画像の各列領域の画像片の濃度がそれぞれ補正され、印刷画像の濃度ムラは抑制される。
【００９０】
＜第２参考例の問題点＞
図１５Ａは、表刷り印刷の印刷画像の説明図である。表刷り印刷では、図示する通り、背景画像の上にカラー画像が形成される。
【００９１】
背景画像は、例えば白い塗り潰し画像である。また、カラー画像は、ここでは文字Ａであり、文字Ａの塗り潰し領域は、同じ色の画素から構成されている（文字Ａの塗り潰し領域にある画素は、同じＲＧＢの階調値である）。ここでは、文字Ａの下側にだけ背景画像が配置されており、文字Ａの上側には背景画像は配置されていないものとする。
【００９２】
図１５Ｂは、図１５Ａの印刷画像の説明図である。この印刷画像は、媒体Ｓに背景画像が形成された後、更にカラー画像を形成することによって、印刷されている。例えば、媒体Ｓにホワイトインクを隙間無く塗布して白い塗り潰し画像（背景画像）を形成した後に、カラードットから構成されるカラー画像が形成されることになる。
【００９３】
図１５Ｂの右側には、カラー画像を構成するカラードットの形状が示されている。媒体Ｓの表面と、ホワイトインクの塗布された背景画像の表面とでは、濡れ性が異なっている。この結果、媒体Ｓにカラードットを直接形成した場合と、ホワイトインクの塗布された背景画像の上にカラードットを形成した場合とでは、カラードットの形状が異なることになる。図中では、媒体Ｓの濡れ性が高いため、媒体Ｓに直接形成されたカラードットの方が、背景画像の上のカラードットよりも、濡れ広がっている。ＵＶインクの場合、紫外光の照射により硬化するとインクを弾く性質があるため、背景画像の有無によるドットの濡れ広がり方の違いは特に著しい。
【００９４】
背景画像の有無によってカラードットの形状が異なる結果、仮に画像データ上での色（ＲＧＢの階調値）が同じであっても、背景画像の有無によってカラー画像の濃度ムラが異なって視認されてしまう。例えば、文字Ａの上側は適切に濃度ムラが補正されていても、文字Ａの下側では濃度ムラを補正できずに濃度ムラが視認されてしまうことがある。
【００９５】
以下の実施形態では、文字Ａの上下の濃度ムラをいずれも適切に補正できるように濃度ムラ補正処理を行っている。
【００９６】
＝＝＝第１実施形態＝＝＝
＜濃度ムラ補正値の取得処理＞
図１６は、第１実施形態の濃度ムラ補正値の取得処理のフロー図である。第２参考例と同じ処理には、図８と同じ符号を付している。
【００９７】
プリンタドライバは、図９に示す画像データに対してハーフトーン処理を行う（図１６のＳ１０１）。この処理は、第２参考例と同じである（図８のＳ１０１）。
【００９８】
次に、プリンタドライバは、４階調のＣ画像データ（印刷画像データ）を印刷装置１に送信し、シアンのテストパターンの画像をテストシートに印刷させる（図１６のＳ２０２）。このとき、プリンタドライバは、背景画像を形成しないテストパターン（背景無しテストパターン）と、背景画像を下に形成したテストパターン（背景付きテストパターン）とを印刷させる。２つのテストパターンのシアンの画像データは同じであり、背景画像の有無だけが異なっている。
【００９９】
背景付きテストパターンの背景画像は、所定範囲の全ての画素領域にそれぞれホワイトインクの大ドットを形成し、所定範囲をホワイトインクで塗り潰した画像である。プリンタドライバは、第１ホワイトヘッドユニット４１Ｗにホワイトインクを吐出させて背景画像を形成させ、第１ホワイト用光源８１Ｗに紫外光を照射させて背景画像を仮硬化させ、その上に、シアンヘッドユニット４１Ｃからシアンインクを吐出させて背景画像上にシアンのテストパターンを形成させ、テストパターンを仮硬化及び本硬化させることによって、背景付きテストパターンを印刷する。
【０１００】
背景無しテストパターンと背景付きテストパターンは、同じＣ画像データを用いてシアンの画像が形成されている。但し、背景画像の有無に応じて、シアンの印刷画像の濃度ムラが異なっている。
【０１０１】
次に、検査者は、コンピューター１１０のスキャナドライバを用いてスキャナー１２０にテストパターンを読み取らせる（図１６のＳ１０３）。この処理は、第２参考例と同じである（図８のＳ１０３）。但し、ここでは、２種類のテストパターン（背景無しテストパターンと背景付きテストパターン）を読み取らせることになる。
【０１０２】
次に、プリンタドライバは、スキャナー１２０から取得した画像データ（読取画像データ）に対して、ｙ２方向の画素数が２４個になるように、解像度変換を行う（図１６のＳ１０４）。この処理は、第２参考例と同じである（図８のＳ１０４）。但し、ここでは、２種類の読取画像データのそれぞれに解像度変換を行うことになる。また、プリンタドライバは、第２参考例と同様に、読取画像データ上の補正用パターン毎に各画素列の輝度を算出し（図１６のＳ１０５）、濃度ムラ補正値ΔＣを算出する（Ｓ１０６）。
【０１０３】
次に、プリンタドライバは、無背景用の補正値テーブルと、背景用の補正値テーブルをコンピューター１１０の記憶手段に記憶する（Ｓ２０７）。無背景用の補正値テーブルは、背景の無いカラー画像を濃度ムラ補正処理するときに用いられる補正値テーブルである。背景用の補正値テーブルは、背景画像の上に形成されるカラー画像を濃度ムラ補正処理するときに用いられる補正値テーブルである。無背景用の補正値テーブルも背景用補正値テーブルも、第２参考例の濃度ムラ補正値テーブルと同様に、それぞれの画素列ごとに補正値が対応付けられている。２種類の補正値テーブルの用い方については、後述する。
【０１０４】
なお、上記の説明ではシアンについてのみ説明をしたが、他の色（マゼンタ、イエロー、ブラック）に対しても同様に濃度ムラ補正値が算出される。
【０１０５】
＜濃度ムラ補正処理＞
図７Ｃは、第１実施形態のプリンタドライバの処理の説明図である。プリンタドライバは、アプリケーションプログラムから、２５６階調のＲＧＢ画像データと、背景の有無を示す２階調のＷ画像データを取得している。プリンタドライバは、色変換処理後・ハーフトーン処理前の２５６階調のＣＭＹＫ画像データに対して、濃度ムラ補正処理を行う。ここでは、シアンの２５６階調の画像データ（Ｃ画像データ）に対する濃度ムラ補正処理について説明する。
【０１０６】
図１７は、第１実施形態の濃度ムラ補正処理のフロー図である。図１８は、第１実施形態の濃度ムラ補正処理の概要の説明図である。
【０１０７】
濃度補正処理されるＣ画像データは、２次元画像を示すデータである。画像は画素が２次元的に配置されて構成されており、各画素にはシアンの２５６階調を示す画素データが割り当てられている。濃度補正処理は、画像データを構成する画素データのそれぞれに対して行われる。
【０１０８】
まず、プリンタドライバは、濃度補正処理の対象となる画素の位置（対象位置）における背景画像の有無を判断する（Ｓ３０１）。背景画像の有無は、背景画像データ（Ｗ画像データ）の対象位置の画素の階調値に基づいて判断される。但し、対象位置の画素ではなく、対象位置を中心とする局所領域（例えば、５画素×５画素の領域）の階調値に基づいて、背景画像の有無が判断されても良い。
【０１０９】
プリンタドライバは、対象位置に背景画像が無ければ、無背景用の補正値テーブルを用いて、シアンの階調値（２５６階調）を補正する（Ｓ３０２）。プリンタドライバは、対象位置に背景画像があれば、背景用の補正値テーブルを用いて、シアンの階調値（２５６階調）を補正する（Ｓ３０３）。なお、補正値テーブルを用いた画素データの階調値に対する濃度ムラ補正処理は、前述の第２参考例の濃度ムラ補正処理と同様である。無背景用の補正値テーブルと背景用の補正値テーブルが異なるため、同じ列領域の同じ階調値の画素データであっても、背景の有無に応じて、異なる階調値に補正されることになる。
【０１１０】
濃度ムラ補正処理後の印刷画像データは、２５６階調のＣＭＹＫ画像データである。濃度ムラ補正処理の後、プリンタドライバは、ハーフトーン処理を行い、印刷画像データを印刷装置１に送信する（図７Ｃ参照）。濃度ムラ補正処理後の画像データに基づいて印刷装置１が印刷を行うと、文字Ａが、全ての領域で濃度ムラを補正された状態で、印刷されることになる。つまり、背景画像の有無に関わらず、カラー画像の全ての領域において濃度ムラが抑制される。
【０１１１】
なお、説明を簡易にするために、画像データ上のカラー画像を同じ色にしているが、画素毎に異なる色（異なる階調値）になっていても良い。カラー画像が文字ではなく自然画の場合、画素毎に異なる色であることが普通である。自然画のようなカラー画像であっても、第１実施形態の濃度ムラ補正処理を行えば、背景画像の有無に関わらず、カラー画像の濃度ムラを抑制できる。
【０１１２】
＝＝＝第２実施形態＝＝＝
図１９は、第２実施形態の表刷り印刷の印刷画像の説明図である。第２実施形態では、背景画像データが２５６階調である。これにより、背景画像を中間階調値で表現することが可能になり、例えば背景画像にグラデーションを施すことも可能になる。
【０１１３】
第１実施形態では、２階調（背景の有無）の階調値ごとに補正値テーブルが用意されていた。一方、第２実施形態のように背景画像が多段階の階調値で表現されるときに、各階調値ごとに補正値テーブルを用意すると、データ量が膨大になってしまう。そこで、第２実施形態では、階調値を補間することにしている。
【０１１４】
図２０は、第２実施形態の濃度ムラ補正処理のフロー図である。
【０１１５】
まず、プリンタドライバは、濃度ムラ補正対象画素の位置（対象位置）における背景画素の階調値を抽出する（Ｓ４０１）。このとき、プリンタドライバは、２５６階調のＷ画像データから、対象位置における画素の階調値を抽出する。但し、対象位置を中心とする局所領域（例えば、５画素×５画素の領域）の平均階調値を、対象位置における画素の階調値としても良い。なお、２５６階調のＷ画像データは、濃度ムラ補正処理後のハーフトーン処理の際に、４階調の画像データに変換されることになる。４階調の背景画像を示す画像データは、各画素にホワイトドットの形成（ドット無し、小ドット、中ドット、大ドット）を示すドットデータになる。
【０１１６】
ところで、背景画素の階調値が２５５のとき、背景が無い状態（背景が最も淡い状態）になる。無背景用の補正値テーブルは、階調値２５５に対応している。また、背景画素の階調値が０のとき、背景が最濃の状態になる。背景用の補正値テーブルは、階調値０に対応している。背景画素の階調値が中間階調値の場合、階調値に対応する補正値テーブルは用意されていないことになる。
【０１１７】
次に、プリンタドライバは、無背景用の補正値テーブルを用いて、階調値を補正する（Ｓ４０２）。この処理は、第１実施形態のＳ３０２（図１７参照）と同じである。ここでは、階調値Ｃ１がＣ１１に補正されるものとする。
【０１１８】
次に、プリンタドライバは、背景用の補正値テーブルを用いて、階調値を補正する（Ｓ４０３）。この処理は、第１実施形態のＳ３０３（図１７参照）と同じである。ここでは、階調値Ｃ１がＣ１２に補正されるものとする。
【０１１９】
次に、プリンタドライバは、背景画素の階調値に基づいて、重みαを算出する（Ｓ４０４）。例えば、重みαは、背景画素の階調値を２５５で割った値である。
【０１２０】
次に、プリンタドライバは、Ｓ４０２とＳ４０３で算出した２つの階調値Ｃ１１，Ｃ１２と、重みαを用いて、次式のように階調値Ｃ１３を補間する（Ｓ４０５）。
【０１２１】
C13 = α×C11  ＋  (1−α)×C12
【０１２２】
第２実施形態においても、プリンタドライバは、対象位置に背景画像が無ければ、無背景用の補正値テーブルを用いて、階調値を補正することになる。また、プリンタドライバは、最も濃い背景画像があれば、背景用の補正値テーブルを用いて、階調値を補正することになる。
【０１２３】
また、第２実施形態では、対象位置の背景画像が中間階調値であれば、無背景用の補正値テーブルを用いて算出した階調値Ｃ１１と、背景用の補正値テーブルを用いて算出した階調値Ｃ１２とを用いて補間することによって、階調値Ｃ１を階調値Ｃ１３に補正している。これにより、背景画像の階調値に関わらず、カラー画像（例えば文字Ａ）の濃度ムラを抑制できる。
【０１２４】
なお、第２実施形態では、階調値２５５に対応する無背景用の補正値テーブルと、階調値０に対応する背景用の補正値テーブルの２つの補正値テーブルが用意されていた。但し、補正値テーブルの数は２以上であっても良い。例えば、階調値１２７に対応する補正値テーブルが用意されていても良い。この場合、濃度ムラ補正対象画素の位置における背景画素の階調値が例えば６４であれば、階調値１２７に対応する補正値テーブルと階調値０に対応する補正値テーブルを用いて、階調値を補間して補正すると良い。
【０１２５】
＝＝＝第３実施形態＝＝＝
図２１は、第３実施形態のプリンタドライバの処理のフロー図である。プリンタドライバは、アプリケーションプログラムから、２５６階調のＲＧＢ画像データと、２５６階調のＷ画像データを取得している。第３実施形態においても、第２実施形態と同様に、背景画像データは２５６階調である。
【０１２６】
まず、プリンタドライバは、ＲＧＢ画像データをＣＭＹＫ画像データに色変換処理する（Ｓ５０１）。
【０１２７】
次に、プリンタドライバは、２５６階調のＷ画像データをハーフトーン処理して、４階調のＷ画像データに変換する（Ｓ５０２）。第３実施形態では、濃度ムラ補正処理の前にＷ画像データをハーフトーン処理する点で第２実施形態と異なっている。この段階では、ＣＭＹＫ画像データに対するハーフトーン処理は行われない。
【０１２８】
次に、プリンタドライバは、ＣＭＹＫ画像データに対して、濃度ムラ補正処理を行う（Ｓ５０３）。この濃度ムラ補正処理は、図１６に示す第１実施形態と同じである。すなわち、プリンタドライバは、対象位置に背景画像が無ければ、無背景用の補正値テーブルを用いて階調値を補正し、対象位置に背景画像があれば、背景用の補正値テーブルを用いて階調値を補正する。
【０１２９】
なお、第３実施形態では、４種類の補正値テーブル（無背景用、小ドット用、中ドット用、大ドット用の補正値テーブル）を用意しても良い。この場合、プリンタドライバは、濃度ムラ補正処理の対象となる画素の位置における背景画像のドット形成状況（ドット無し、小ドット、中ドット、大ドット）に応じて、濃度ムラ補正処理に用いる補正値テーブルを決定すると良い。
【０１３０】
次にプリンタドライバは、２５６階調のＣＭＹＫ画像データをハーフトーン処理して、４階調のＣＭＹＫ画像データに変換する（Ｓ５０４）。そして、プリンタドライバは、４階調のＣＭＹＫ画像データ及びＷ画像データを含む印刷画像データを印刷装置１に送信する（Ｓ５０５）。
【０１３１】
第３実施形態においても、背景画像の階調値に関わらず、カラー画像の濃度ムラを抑制できる。
【０１３２】
＝＝＝第４実施形態＝＝＝
前述の実施形態では、濃度ムラ補正処理によって２５６階調のＣＭＹＫ画像データの各画素の階調値が補正され、濃度ムラ補正処理されたＣＭＹＫ画像データ（２５６階調）に対してハーフトーン処理が行われている。前述の実施形態では、淡く視認されやすい列領域に対応する画素列に属する画素データの階調値は予め低く（濃く）補正されているため、ハーフトーン処理後の画像データ上のその画素列のドット生成率が高くなる。また、濃く視認されやすい列領域に対応する画素列に属する画素データの階調値は予め高く（淡く）補正されているため、ハーフトーン処理後の画像データ上のその画素列のドット生成率が低くなる。
【０１３３】
これに対し、第４実施形態では、ハーフトーン処理後のＣＭＹＫ画像データ（４階調）を補正することによって、画素列のドットの生成を直接変更している。例えば、淡く視認されやすい列領域に対応する画素列では、ドットを追加するように、その画素列に属する画素データの階調値を補正する。また、濃く視認されやすい列領域に対応する画素列では、ドットを削除するように、その画素列に属する画素データの階調値を補正する。なお、ドットを追加・削除するのではなく、ドットの大きさを変更するように、４階調の画素データの階調値を補正しても良い。
【０１３４】
図２２は、第４実施形態のプリンタドライバの処理のフロー図である。プリンタドライバは、アプリケーションプログラムから、２５６階調のＲＧＢ画像データと、２５６階調のＷ画像データを取得している。第４実施形態においても、第２、第３実施形態と同様に、背景画像データは２５６階調である。
【０１３５】
まず、プリンタドライバは、ＲＧＢ画像データをＣＭＹＫ画像データに色変換処理する（Ｓ６０１）。次に、プリンタドライバは、２５６階調の画像データをハーフトーン処理して、４階調の画像データに変換する（Ｓ６０２）。第４実施形態では、Ｗ画像データだけでなく、ＣＭＹＫ画像データに対してもハーフトーン処理が行われる。ハーフトーン処理後の４階調の画像データは、各画素のドット形成状態（大ドット・中ドット・小ドット・ドット無し）を示している。
【０１３６】
次に、プリンタドライバは、ＣＭＹＫ画像データに対して、ドット補正処理を行う（Ｓ６０３）。図２３Ａは、ドット補正処理前のＣ画像データの説明図である。図中の黒く塗り潰された画素の画素データは、シアンドットを形成することを示している。
【０１３７】
プリンタドライバは、それぞれの画素列ごとに補正値を対応付けた補正値テーブルを２種類（無背景用及び背景用の補正値テーブル）備えている。そして、背景画像の有無に応じて２つの補正値テーブルのうちの一方を選択し、補正値テーブルに基づいて各画素列の画素データの階調値を補正する。例えば、補正値テーブルの第２画素列の補正値が、所定の割合だけ淡く補正することを示している場合、プリンタドライバは、第２画素列に属する画素データのうち、ドットを形成することを示す画素データを、補正値の示す割合に応じた数だけ、ドットを形成しないことを示す画素データに補正する。また、補正値テーブルの第４画素列の補正値が、所定の割合だけ濃く補正することを示している場合、プリンタドライバは、第４画素列に属する画素データのうち、ドットを形成しないことを示す画素データを、補正値の示す割合に応じた数だけ、ドットを形成することを示す画素データに補正する。
【０１３８】
本実施形態のドット補正処理によれば、ドット補正処理前のドット形成状態を基準にしてドットを追加・削除している。これにより、ハーフトーン処理によるドットの分散性をドット補正処理後もほぼ維持できる。
【０１３９】
図２３Ｂは、ドット補正処理後のＣ画像データの説明図である。図中の矢印で示す画素の画素データの階調値が、ドット補正処理によって補正されている。
【０１４０】
プリンタドライバは、ドット補正処理の後、印刷画像データを印刷装置１に送信する（Ｓ６０４）。印刷装置１が図２３Ｂに示すＣ画像データに従ってドットを形成すると、第２画素列ではドットが削減され、第４画素列ではドットが追加されて、シアンの画像が印刷されることになる。
【０１４１】
図２３Ａ及び図２３Ｂでは、ドットの追加・削除によるドット補正処理を説明したが、ドットの大きさを変更するように、画素データの階調値を補正しても良い。例えば、ある画素列を濃く補正する場合には、小ドットから中ドットになるように、若しくは中ドットから大ドットになるように、画素データを補正しても良い。また、ある画素列を淡く補正する場合、中ドットから小ドットになるように、若しくは大ドットから中ドットになるように、画素データを補正しても良い。
【０１４２】
第４実施形態においても、背景画像の有無に関わらず、カラー画像の全ての領域において濃度ムラが抑制される。
【０１４３】
＝＝＝その他＝＝＝
上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。
【０１４４】
＜印刷装置について＞
前述の実施形態では、印刷装置はＵＶインクを用いて画像を形成していた。但し、透明な媒体に画像を形成できるのであれば、ＵＶインクでなくても良い。この場合、前述の実施形態の仮硬化ユニット８０や本硬化ユニット９０は不要になる。しかし、フィルムなどの透明な媒体はインクを吸収しにくいため、印刷面でドットを硬化させて画像を形成することができるＵＶインクを用いるのが望ましい。
【０１４５】
また、前述の実施形態の印刷装置は、いわゆるライン型印刷装置（媒体を搬送させながら、固定されたヘッドからインクを吐出して画像を形成する印刷装置）であった。但し、ライン型印刷装置ではなく、いわゆるシリアル型印刷装置（媒体を搬送する動作と、移動するヘッドからインクを吐出してドットを形成する動作とを交互に繰り返す印刷装置）であっても良い。
【０１４６】
＜ホワイトインクについて＞
前述のホワイトインクは、エプソン純正写真用紙＜光沢＞（セイコーエプソン株式会社製）に、ｄｕｔｙ１００％以上で吐出された白色インクの明度（Ｌ＊）と色度（ａ＊、ｂ＊）が、分光測光器Ｓｐｅｃｔｒｏｌｉｎｏ（商品名：ＧｒｅｔａｇＭａｃｂｅｔｈ社製）を、測定条件をＤ５０光源、観測視野を２°、濃度をＤＩＮ＿ＮＢ、白色基準をＡｂｓ、フィルターをＮｏ、測定モードをＲｅｆｒｅｃｔａｎｃｅ、として設定して計測した場合に、７０≦Ｌ＊≦１００、−４．５≦ａ＊≦２、−６≦ｂ＊≦２．５の範囲を示すインクのことをいう。
【０１４７】
前述のホワイトインクは、白色顔料を含有する。白色顔料としては、例えば、金属酸化物、硫酸バリウム、炭酸カルシウム等が挙げられる。金属酸化物としては、例えば、二酸化チタン、酸化亜鉛、シリカ、アルミナ、酸化マグネシウム等が挙げられる。これらの中でも、白色度に優れているという観点から、二酸化チタンが好ましい。
【０１４８】
＜背景画像について＞
前述の背景画像は、ホワイトインクを塗布することによって形成されていた。但し、背景画像は、ホワイトインクによって形成される画像に限られるものではない。例えば、ホワイトインクの代わりに、光輝性インク（メタリックインク）を塗布しても良い。
【０１４９】
光輝性インクは、光輝性インクは、金属粒子として銀粒子やアルミニウム（薄片状アルミニウム、鱗片状アルミニウム）等を含有する。銀粒子は、銀を主成分とする粒子である。銀粒子は、例えば、副成分として、他の金属、酸素、炭素等を含んでもよい。銀粒子は、銀と他の金属との合金であってもよい。また、インク組成物中の銀粒子は、コロイド（粒子コロイド）の状態で存在していてもよい。銀粒子がコロイド状態で分散している場合は、さらに分散性が良好となり、例えばインク組成物の保存安定性の向上に寄与することができる。金属粒子としてアルミニウムを用いた場合、アルミニウムは媒体にほぼ平行に並ぶがそれぞれのリーフの重なり合いにより、実際には平行ではない。そのため、アルミニウムを用いた場合の光沢は光沢度の高い鏡面光沢ではなく、マット調の光沢になる場合が多い。それに対して銀粒子を含む光輝性インクは、アルミニウムを含む光輝性インクよりも、光沢度の高い光輝性画像を形成することが可能である。
【０１５０】
光輝性インクの溶媒としては、イオン交換水、限外ろ過水、逆浸透水、蒸留水などの純水または超純水が用いられる。金属粒子の分散の妨げにならない程度であれば、水中にイオン等が存在していてもよい。また、必要に応じて、界面活性剤、保湿剤、増粘剤、ｐＨ調整剤、防腐剤、樹脂類等を含有していてもよい。
【０１５１】
また、背景画像は、ホワイトインクとカラーインクを用いて調色した塗り潰し画像でも良い。この場合、媒体の色に応じて調色した背景画像を形成すれば、媒体の色の影響を受けずにカラー画像を形成することができる。例えば、媒体が若干黄色みを帯びている場合に、ホワイトインクとカラーインクを用いて若干青みを帯びるように調色すれば、白く視認されるように調色された背景画像を形成できる。
【符号の説明】
【０１５２】
１  印刷装置、
１０  搬送ユニット、１１  ドラム、
１２  第１ローラー、１３  第２ローラー、１４  第３ローラー、
４０  ヘッドユニット、
４１Ｗ  第１ホワイトヘッドユニット、
４１Ｃ  シアンヘッドユニット、
４１Ｍ  マゼンタヘッドユニット、
４１Ｙ  イエローヘッドユニット、
４１Ｋ  ブラックヘッドユニット、
４２Ｗ  第２ホワイトヘッドユニット、
５０  検出器群、６０  コントローラー、
６１  ＣＰＵ、６２  メモリ、６３  インターフェース部、
７０  駆動信号生成回路、
８０  仮硬化ユニット、
８１Ｗ  第１ホワイト用光源、
８１Ｃ  シアン用光源、
８１Ｍ  マゼンタ用光源、
８１Ｙ  イエロー用光源、
８１Ｋ  ブラック用光源、
８２Ｗ  第２ホワイト用光源、
９０  本硬化ユニット、９１  本硬化用光源、
１１０  コンピューター（印刷制御装置）、１２０  スキャナー、
Ｓ  媒体（透明媒体）、
【図１】
0005994288.tif 000002
【図２】
0005994288.tif 000003
【図３】
0005994288.tif 000004
【図４】
0005994288.tif 000005
【図５】
0005994288.tif 000006
【図６】
0005994288.tif 000007
【図７】
0005994288.tif 000008
【図８】
0005994288.tif 000009
【図１１】
0005994288.tif 000010
【図１２】
0005994288.tif 000011
【図１３】
0005994288.tif 000012
【図１４】
0005994288.tif 000013
【図１５】
0005994288.tif 000014
【図１６】
0005994288.tif 000015
【図１７】
0005994288.tif 000016
【図１８】
0005994288.tif 000017
【図２０】
0005994288.tif 000018
【図２１】
0005994288.tif 000019
【図２２】
0005994288.tif 000020
【図２３】
0005994288.tif 000021
【図９】
0005994288.tif 000022
【図１０】
0005994288.tif 000023
【図１９】
0005994288.tif 000024